(57)【要約】      （修正有）【課題】快適なクッション性を得ることにより寝心地を良好にしながら、抗菌、防臭機能を付与した寝具等のクッションを提供する。【解決手段】寝具等のクッション１は、弾性合成樹脂の線条体を立体的に屈曲形成した弾性を有する三次元立体構造網状体からなる立体網状クッション２の上に、天然ゴムを発泡させた正反発性を有するラテックスクッション３が載置され、このラテックスクッション３の上にフタロシアニンが含有された繊維シート４を被覆する。【選択図】図１
0003197586.tif 000002
【実用新案登録請求の範囲】
【請求項１】
弾性合成樹脂の線条体を立体的に屈曲形成した弾性を有する三次元立体構造網状体からなる立体網状クッションの上に、天然ゴムを発泡させた正反発性を有するラテックスクッションが載置され、このラテックスクッションの上にフタロシアニンが含有された繊維シートが被覆された寝具等のクッション。
【請求項２】
三次元立体構造網状体は、長手方向に３分割され、人体の頭部、臀部、足部に対応させて硬さを異ならせた請求項１に記載の寝具等のクッション。
【請求項３】
ラテックスマットは、厚み方向に多数の孔が形成されている請求項１に記載の寝具等のクッション。
【考案の詳細な説明】
【技術分野】
【０００１】  本考案は、寝具等に用いるクッションに関するものであり、詳しくは、ベースとなるクッションに三次元立体構造網状体を用いた寝具等のクッションに関する。
【背景技術】
【０００２】  従来、弾性合成樹脂からなるモノフイラメントが不規則にカールされあるいは屈曲されて錯綜した３次元の立体網状構造をなし、かつ前記フィラメントが交絡点で相互に接合された所定厚みの弾性体からからなるクッションを用いた寝具用マットが実用に供されている。【０００３】  しかし、従来のこの種類のマットでは、フィラメントが弾性合成樹脂の線条体によって形成されることから、端部が固い棒状となっているために、マットを網状の外カバーで覆ってもフィラメントがカバー材を貫通してしまい、使用時に皮膚を刺激してしまう場合があった。この問題を解消するために、特開２０１４−１３３０４７号公報（特許文献１）には、連続線条体の端部が貫通しない強度を有する袋状の内カバーに三次元立体構造網状体を収納することが開示されている。
【先行技術文献】
【特許文献】
【０００４】
【特許文献１】特開２０１４−１３３０４７号公報
【考案の概要】
【考案が解決しようとする課題】
【０００５】  ところが、三次元立体構造網状体は、弾性合成樹脂の線条体によって形成されているために、カバーを介して線条体が皮膚を刺激して痛み感じることがあり、しかも、身体を移動したときにフィラメントが変移して音を発生することから、快適な睡眠を阻害することもあった。また、例えば介護用のベッドとして使用する場合、皮膚の刺激を避けるためにウレタンフォーム等のクッション材を重ねる必要がある。ところが、このクッション材は細菌の温床となることから臭気が発生することがある、しかし、クッション材全体を洗浄することは困難であり、一時的に防臭剤を散布せざるを得ない問題があった。【０００６】  本考案が解決しようとする課題は、快適なクッション性を得ることにより寝心地を良好にしながら、抗菌、防臭機能を付与した寝具等のクッションを提供することにある。
【課題を解決するための手段】
【０００７】  そこで、本考案による寝具等のクッションは、弾性合成樹脂の線条体を立体的に屈曲形成した弾性を有する三次元立体構造網状体からなる立体網状クッションの上に、天然ゴムを発泡させた正反発性を有するラテックスクッションが載置され、このラテックスクッションの上にフタロシアニンが含有された繊維シートを被覆することを要旨としている。【０００８】  また、三次元立体構造網状体は、長手方向に３分割され、人体の頭部、臀部、足部に対応させて硬さを異ならせている。【０００９】  さらに、ラテックスマットは、厚み方向に多数の孔が形成されている。
【考案の効果】
【００１０】  本考案による寝具等のクッションは、三次元立体構造網状体からなる立体網状クッション上に、ラテックスクッションが載置されているので、立体網状クッションの線条体による皮膚への刺激や痛み、或いは、フィラメントが変移することにより発生する音をラテックスクッションが防止することから、快適なクッション性を得るとともに良好な寝心地を得ることができる。しかも、ラテックスクッションは、正反発性を有していることから、人の部位による重さに関わらず、沈み量に応じた反発力で均等に持ち上げる体圧分散性を有しているので、局部的な体圧によって生ずる痛みを軽減することができる。また、ラテックスクッションの下の立体網状クッションが高反発クッション性と体圧分散性を有していることから、ラテックスクッションと立体網状クッションが有するクッション機能の相乗効果によって、快適なクッション性を得ることができる。さらに、ラテックスクッションの上にフタロシアニンが含有された繊維シートを被覆しているので、フタロシアニンが有する抗菌、防臭機能によって、臭気の発生や細菌の増殖を未然に防止することができるので、例え介護用のベッドとして使用する場合であっても、衛生的なクッションを構成することが可能となる。【００１１】  また、三次元立体構造網状体が、人体の頭部、臀部、足部に対応させて硬さを異ならせるように長手方向に３分割されているので、体の部位に応じた重さによる沈み量を小さくできることから、全身がほぼ均等な沈み量となり、これにより就寝中の寝返りを容易にすることが可能となる。【００１２】  さらに、ラテックスクッションの厚み方向に多数の孔が形成されているので、横方向の応力にも柔軟に追従させることができるので、床ずれの原因となるズレを解消することができる。しかも、多数の孔がラテックスクッションの下の立体網状クッションに連通しているので、立体網状クッションが有する通気性を損なうことがなくなり、クッション全体の通気性を確保することが可能となる。
【図面の簡単な説明】
【００１３】
【図１】  本発明によるクッションの実施例を示す斜視図である。
【図２】  図１に示すクッションの一部断面斜視図である。
【図３】  クッションによる体圧分散状態を示す体圧分布図である。
【図４】  クッションを枕に適用した実施例を示す断面斜視図である。
【図５】  クッションを椅子に適用した例を示す断面図である。
【考案を実施するための形態】
【００１４】  本考案による寝具等のクッションは、弾性合成樹脂の線条体を立体的に屈曲形成した弾性を有する三次元立体構造網状体からなる立体網状クッションの上に、天然ゴムを発泡させた正反発性を有するラテックスクッションが載置され、このラテックスクッションの上にフタロシアニンが含有された繊維シートを被覆している。
【００１５】  以下、図面に基づいて本考案の実施例を詳細に説明する。図１、図２は、ベッドバッド用のクッション１を示し、立体網状クッション２をベースとし、その上に、ラテックスクッション３が載置され、さらに、ラテックスクッション３の上に、繊維シート４が被覆されている。これら立体網状クッション２、ラテックスクッション３及び繊維シート４を重ねた状態で、全体を布団カバー５によって被覆している。
【００１６】  立体網状クッション２は、弾性のある弾性合成樹脂（ポリエーテルエステル系繊維などからなり、弾性合成樹脂からなる中実または中空な連続線条体を曲がりくねらせ多数の線条体ループを形成し、線条体ループが相互に接合された三次元立体構造網状体であり、必要な弾性力、通気性を有している。線条体ループの線径は約１ｍｍ程度に設定され、連続線条体を曲がりくねらせた多数の線条体ループによって、１ｃｍから１０ｃｍ程度の厚さの矩形状の平板に形成されている。そして、三次元立体構造網状体の密度は２０ｋｇ〜４０ｋｇ／立方メートル程度に設定され、この密度によって所望の硬さ或いは反発力を得ることができる。この立体網状クッション２としては、市販されている商品名「ブレスエアー」（東洋紡株式会社製）を使用することができる。
【００１７】  ラテックスクッション３は、天然ゴムを発泡させたラテックスフォームであり、１ｃｍから１０ｃｍ程度の厚さの矩形状の平板に形成されている。そして、このラテックスクッション３は、重さと同じ比率だけ沈み、圧力と同等の力で内側から反発する正反発性を有している。さらに、ラテックスクッション３には、厚み方向に多数の孔３ａが整列状態で形成されている。多数の孔３ａによって、横方向の応力にも柔軟に追従させることができるようになっている。ラテックスクッション３は、商品名ボディドクター（グローバル産業株式会社製）を使用することができる。
【００１８】  繊維シート４は、青・みどり色の色素化合物からなる金属フタロシアニンを織物や不織布に染色することにより含有させたシートであり、抗アレル物質、消臭、抗菌防臭機能を有していることが知られている。この繊維シート４は、前述した立体網状クッション２及びラテックスクッション３と同じかやや大きい矩形状の１ｍｍ前後の厚さの平板に形成されている。繊維シート４は、商品名アレルキャッチャー（ダイワボウノイ株式会社製）を使用することができる。
【００１９】  また、立体網状クッション２は、図１に示すように、長手方向に３分割されていて、各々の立体網状クッションは、好ましくは通気性を有するカバーに各々収納されている。このカバーの一辺を連結することにより、立体網状クッション２を三つ折り状に畳むことが可能である。長手方向に３分割された立体網状クッション２は、図３に示すように、人体の頭部Ａ、臀部Ｂ、足部Ｃに対応させて硬さを異ならせている。例えば、ベッドバッドに用いる場合には、人が寝た状態では、臀部Ｂが最も重いことから、中央の立体網状クッション２ｂを硬くし、前後の立体網状クッション２ａ、２ｃを軟らかくしている。これにより、臀部の重さによる沈み量が小さくなるので、全身がほぼ均等な沈み量となる。これにより就寝中の寝返りを容易にすることが可能となる。
【００２０】  このように構成したクッション１をベッドバッドに用いると、ラテックスクッション３の正反発性によって体の体型及び重さに応じて沈み込み、図３に示すような体圧分散状態となって局部的な体圧が解消される。さらに、人が水平方向にずれた場合には、ラテックスクッション３に形成された多数の孔３ａが横方向の応力に柔らかく追従するので、皮膚への付加が軽減される。さらに、立体網状クッション２は、体重の全体を弾力性によって受け止めるとともに体圧分散状態にして体を支持するようにしている。一方、人やクッション１から発生する臭い或いは細菌は、抗菌、防臭機能を有する金属フタロシアニンを含有させた繊維シート４によって減少させている。これらの相乗効果によって、快適なクッション性と良好な寝心地が得られる。
【００２１】  図４は、寝具等のクッションの他の実施例として、枕に適用した例を示している。枕１０は、高さ方向の中央に配置させた立体網状クッション１１の上下に、ラテックスクッション１２が挟むように配置させている。さらに、ラテックスクッション１２の表面には、繊維シート１３が被覆されている。立体網状クッション１１、ラテックスクッション１２及び繊維シート１３は、前述したベッドバッド用と同じである。枕１の場合は、人によって最適な高さが異なるので、なお、図４に示す枕１０においては、立体網状クッション１１を２枚重ねているが、１枚であっても良く、また、立体網状クッション１１或いはラテックスクッション１２の厚さを変えて適当な厚さに調整しても良い。
【００２２】  このような枕１０に適用した場合も、ラテックスクッション１１の正反発性によって頭部の重さに応じて沈み込み、さらに、頭部が水平方向にずれた場合にもラテックスクッション１１に形成された多数の孔が横方向の応力に柔らかく追従するので、皮膚への付加が軽減される。さらに、金属フタロシアニンを含有させた繊維シート１３の抗菌、防臭機能によって、悪臭等を未然に解消することができることから、快適なクッション性と良好な寝心地が得られる。
【００２３】  図５は、クッションの応用例であり、椅子に適用した例を示している。椅子２０は、座席部２１と、この座席部２１を支持する４本の脚部２２と、座席部２１の後方端から立設された背もたれ２３とを有している。座席部２１は略四角形に形成され、上面にはクッション２４が載置されている。このクッション２４は、前述したベッドバッド用と同様に、立体網状クッション２５の上に、ラテックスクッション２６が載置され、さらに、ラテックスクッション２６の上に、繊維シート２７が被覆されている。立体網状クッション２５、ラテックスクッション２６及び繊維シート２７は、前述したベッドバッド用と同じであり詳細な説明は省略するが、立体網状クッション２５は、単位面積当たりの加重が大きいので、前述したベッドバッド用の立体網状クッションよりも硬いものが好ましい。
【００２４】  このような椅子２０に適用した場合も、ラテックスクッション２６の正反発性によって臀部の形と重さに応じて沈み込み、着座者３０の尾骨による体圧が分散されることから、局部的な圧接が回避され、これによっても疲労感や痛み感が減少する。
【００２５】  以上、本発明を実施例に基づき具体的に説明したが、本発明は上記実施例に限定されるものではなく、その要旨を逸脱しない範囲で種々変形可能であることは言うまでもない。前述した実施例において、立体網状クッションを長手方向に３分割したが、これに合わせてラテックスクッション及び繊維シートを同様に３分割し、各々をカバーに収納するようにしても良い。また、ラテックスクッションに形成した多数の孔は、厚さ方向に貫通させなくても、クッションの上側に１／２以上の深さの止め穴であっても良い。
【符号の説明】
【００２６】  １    クッション
２    立体網状クッション
３    ラテックスクッション
３ａ  孔
４    繊維シート
【図１】
0003197586.tif 000003
【図２】
0003197586.tif 000004
【図３】
0003197586.tif 000005
【図４】
0003197586.tif 000006
【図５】
0003197586.tif 000007